(57)【特許請求の範囲】
【請求項１】
筒状芯体の外周にラップフィルムが巻回された巻回ラップフィルムと、
前記巻回ラップフィルムを収納可能な刃なし収納箱と、を備え、
前記刃なし収納箱は、少なくとも１枚の原紙が複数の折り線に沿って折り曲げられて外形略柱状に成形され、
前記原紙は、坪量が１５０〜４８０ｇ／ｍ2の範囲にあり、
前記刃なし収納箱の長手方向の側板間の内寸の最小値Ｗ（ｍｍ）が、前記筒状芯体の軸長さＳ（ｍｍ）に対し、Ｓ−１．０≦Ｗ≦Ｓの関係を満たし、
前記筒状芯体が、その軸方向において実質的に隙間なく前記刃なし収納箱に収納されている、
詰替ラップフィルム収納体。
【請求項２】
前記原紙には、前記刃なし収納箱の長手方向の側板間の内寸の最小値Ｗ（ｍｍ）が前記筒状芯体の軸長さＳ（ｍｍ）以下となるように前記折り線が形成されている、
請求項１に記載の詰替ラップフィルム収納体。
【請求項３】
前記巻回ラップフィルムは、前記刃なし収納箱の長手方向の側板の少なくとも一方が前記筒状芯体により湾曲した状態で、前記刃なし収納箱内に収納されている、
請求項１又は２に記載の詰替ラップフィルム収納体。
【請求項４】
前記刃なし収納箱は、開口部を有する収納部を有し、
前記収納部は、前板と後板と底板と一対の前記側板とを少なくとも有し、
前記前板の高さが、前記後板の高さよりも低く形成されている、
請求項１〜３のいずれか一項に記載の詰替ラップフィルム収納体。
【請求項５】
前記刃なし収納箱は、開口部を有する収納部を有し、
前記収納部は、前板と後板と底板と一対の前記側板とを少なくとも有し、
前記前板は、倒動可能に前記底板と連接されており、
該前板の倒動により、前記開口部が拡張する、
請求項１〜４のいずれか一項に記載の詰替ラップフィルム収納体。
【請求項６】
前記刃なし収納箱は、開口部を有する収納部を有し、
前記収納部は、前板と後板と底板と一対の前記側板とを少なくとも有し、
前記巻回ラップフィルムは前記側板間に挟持されており、
前記前板の倒動により、前記巻回ラップフィルムが前記側板にガイドされて前記刃なし収納箱の外方へ変位する、
請求項１〜５のいずれか一項に記載の詰替ラップフィルム収納体。
【請求項７】
前記刃なし収納箱は、開口部を有する収納部を有し、
前記収納部は、前板と後板と底板と一対の前記側板とを少なくとも有し、
前記前板は、前記側板と連接されており、
前記前板と前記側板との連接の解放及び前記前板の倒動により、前記開口部が拡張する、
請求項１〜６のいずれか一項に記載の詰替ラップフィルム収納体。
【請求項８】
筒状芯体の外周にラップフィルムが巻回された巻回ラップフィルムを収納可能な詰替ラップフィルム用の刃なし収納箱であって、
少なくとも１枚の原紙が複数の折り線に沿って折り曲げられて外形略柱状に成形されたものであり、
前記原紙は、坪量が１５０〜４８０ｇ／ｍ2の範囲にあり、
前記刃なし収納箱の長手方向の側板間の内寸の最小値Ｗ（ｍｍ）が、収納される前記巻回ラップフィルムの前記筒状芯体の軸長さＳ（ｍｍ）に対し、Ｓ−１．０≦Ｗ≦Ｓの関係を満たす、
詰替ラップフィルム収納体用の刃なし収納箱。
【請求項９】
前記原紙には、前記刃なし収納箱の長手方向の側板間の内寸の最小値Ｗ（ｍｍ）が前記筒状芯体の軸長さＳ（ｍｍ）以下となるように前記折り線が形成されている、
請求項８に記載の詰替ラップフィルム収納体用の刃なし収納箱。
【請求項１０】
前記刃なし収納箱は、開口部を有する収納部を有し、
前記収納部は、前板と後板と底板と一対の前記側板とを少なくとも有し、
前記前板の高さが、前記後板の高さよりも低く形成されている、
請求項８又は９に記載の詰替ラップフィルム収納体用の刃なし収納箱。
【請求項１１】
前記刃なし収納箱は、開口部を有する収納部を有し、
前記収納部は、前板と後板と底板と一対の前記側板とを少なくとも有し、
前記前板は、倒動可能に前記底板と連接されており、
該前板の倒動により、前記開口部が拡張する、
請求項８〜１０のいずれか一項に記載の詰替ラップフィルム収納体用の刃なし収納箱。
【請求項１２】
前記刃なし収納箱は、開口部を有する収納部を有し、
前記収納部は、前板と後板と底板と一対の前記側板とを少なくとも有し、
前記前板は、前記側板と連接されており、
前記前板と前記側板との連接の解放及び前記前板の倒動により、前記開口部が拡張する、
請求項８〜１１のいずれか一項に記載の詰替ラップフィルム収納体用の刃なし収納箱。
【請求項１３】
前記刃なし収納箱は、開口部を有する収納部を有し、
前記収納部は、前板と後板と底板と一対の前記側板とを少なくとも有し、
前記側板間において、前記巻回ラップフィルムを挟持可能である、
請求項８〜１２のいずれか一項に記載の詰替ラップフィルム収納体用の刃なし収納箱。
【発明の詳細な説明】
【技術分野】
【０００１】
本発明は、詰替ラップフィルム収納体及びこれに用いる刃なし収納箱に関する。
【背景技術】
【０００２】
従来、主に家庭や飲食店等において、食品若しくはその加工品或いは調味料等の一時的な保存又は加熱処理等の際にラップフィルムが一般的に使用されている。この種のラップフィルムは、通常、紙製の筒状芯体の外周に巻回されて巻筒体（巻回ラップフィルム）とされ、切断刃（カット刃）を備える紙製の直方体状の収納箱内にかかる巻回ラップフィルムを収納したもの（ラップフィルム収納体）が、市場において広く流通及び販売されている。
【０００３】
近年、環境問題への取り組みとして、詰替品の需要が高まっている。特に、日用品分野においては、顧客の環境問題への志向性が高く、その要望が年々高まってきている。そのため、省資源化、ゴミ削減、廃棄時の取り扱い性の向上等を図ったラップフィルム収納体やその収納箱について、種々の提案がなされている。
【０００４】
例えば、特許文献１には、詰め替え用のロール状包装材料を収納するカートンであって、カートン本体を従来の切断手段を備えたロール状包装材料収納カートンの中に密接した状態で収納可能な形状及び寸法とした、詰め替え用ロール状包装材料収納カートンが記載されている。
【０００５】
また、特許文献２には、巻回ラップフィルムの緊縮包装体及びその製造方法が記載されている。
【先行技術文献】
【特許文献】
【０００６】
【特許文献１】特開２００５−１１２３７６号公報
【特許文献２】特許第３３８２６８７号公報
【発明の概要】
【発明が解決しようとする課題】
【０００７】
しかしながら、現在、ラップフィルムの詰替品（詰替用の巻回ラップフィルム）は、一部のメーカーで販売されているものの、市場において主流にはなっていない。その理由としては、詰替用の巻回ラップフィルムをその商品価値を損なわせることなく市場に安定して供給し得る有効な手段が確立されていなかったためと考えられる。
【０００８】
すなわち、食品包装用ラップフィルム分野の大半を占めるラップフィルムは、製膜時に延伸加工（一般的には１軸延伸又は２軸延伸）を行うことによりフィルム強度や使用時のカット性等の機能を高めているため、極めて容易に引き裂けるという特性を有する。そのため、従来のラップフィルムの詰替品は、輸送時の振動や陳列時の外部からの押圧等により巻回ラップフィルムが収納箱（包装材）内で軸方向に動き、ラップフィルム（の最外周）が収納箱の内壁と擦れることにより、傷が生じ易く、この傷によって種々の問題が引き起こされるという問題があった。
【０００９】
具体的には、詰替後の使用時（ラップフィルムの引き出し時）に、その傷を起点としてラップフィルムが引き裂けて、千切れてしまう。また、このようにラップフィルムが引き裂けてしまうと、使用者がラップフィルムの巻き終り端を見失い易く、その後の引き出しが困難になる。さらには、上述したラップフィルムの引き裂けをともなった複数周回の引き出しが行われると、完全な状態で（引き裂けが生じていない状態で）ラップフィルムを引き出すことはもはや困難となり、その後の使用が不可能な状態になり得る。とりわけ、巻回ラップフィルムの軸方向の傷は、ラップフィルムの巻き終り端を見失わせ易く、また、ラップフィルムの引き裂けをともなった複数周回の引き出しを誘因し易いという特徴があるため、巻回ラップフィルムの軸方向に生じる傷が特に問題となる。
【００１０】
一方、省資源化及びゴミ削減を図るとともに廃棄時の減容（潰したり、たたんだりする等）を容易とし取り扱い性の向上を図る目的で、ラップフィルム収納体の収納箱を構成する原紙として、薄く低強度な原紙を採用することが考えられる。しかしながら、この種のラップフィルム収納体は、通常、輸送時に複数本のラップフィルム収納体を束ねた状態で梱包したダンボールを巻回ラップフィルムの軸方向に１０段程度積み重ねた形態で市場に流通される。このとき、最下段のダンボールに梱包されたラップフィルム収納体には、３〜１０ｋｇ程度の荷重が加わる。したがって、薄く低強度な原紙を用いて収納箱を構成した場合には、箱の強度（剛性）が不十分となり、最下段のダンボールに梱包された収納箱がつぶれて変形し、また、これにともないラップフィルムの引き出しが困難となり、その結果、商品価値が大きく損なわれてしまう。さらに、箱の剛性が不十分であると、梱包、段積み、輸送及び陳列等の作業時の取り扱い性をも悪化させる。このような問題を回避するために、カット刃が付属した現行の商品（非詰替品）は、厚く高強度な原紙を用いて収納箱を形成し、収納箱自身に強度を持たせた設計を採用せざるを得なかった。そのため、詰替ラップフィルム収納体において、現行の商品（非詰替品）と同等の梱包、輸送及び陳列を可能にするためには、現行の商品（非詰替品）と同様に厚く高強度な原紙を用いざるを得ず、その結果、薄く低強度な原紙を採用して省資源化と取り扱い性の向上を図ることが困難であった。
【００１１】
なお、上記特許文献１には、詰め替えが容易であり、何度も繰り返して使用することができるので、資源の削減に役立つと記載されている。しかしながら、特許文献１の技術においては、輸送時の振動等による巻回ラップフィルムの傷つきを防止する機能が付されていない。そのため、詰替用の巻回ラップフィルムを、その商品価値を損なうことなく市場に安定して供給することは困難である。また、省資源化、ゴミ削減、廃棄時の減容容易といった環境問題への対応も不十分である。
【００１２】
また、上記特許文献２には、シュリンク包装を採用することによりラップフィルムの巻終り端からの引き出しを容易に且つ確実に行うことができるので、詰替用の巻回フィルムを安定供給できると記載されている。しかしながら、特許文献２の技術においては、巻回ラップフィルムをシュリンク包装しただけの形態なので、輸送時等に包装が破れるおそれがあり、また、外部からの押圧によりラップフィルムが傷つき易い。さらに、このような形態では、輸送時又は陳列時に段積みができない等、現行の商品（非詰替品）と同等の梱包、輸送及び陳列を行うことができない。しかも、シュリンク包装を採用しているため、シュリンク包装時に印加される熱がラップフィルムに少なからず影響を与えるおそれがある。
【００１３】
本発明は、かかる実情に鑑みて為されたものであり、その目的は、詰替用の巻回ラップフィルムをその商品価値を大きく損なうことなく市場に安定して供給することができ、しかも、省資源化、ゴミ削減、廃棄時に減容容易といった環境問題に対応しつつ現行の商品（非詰替品）と略同等の取り扱いが可能な、詰替ラップフィルム収納体及びこれに用いる刃なし収納箱を提供することにある。
【課題を解決するための手段】
【００１４】
本発明者等は、鋭意研究を重ねた結果、坪量が１５０〜４８０ｇ／ｍ2の範囲にある原紙を用いて所定形状の刃なし収納箱を構成することにより、上記の種々の課題が解決されることを見出し、本発明を完成するに至った。
【００１５】
すなわち、本発明は、以下（１）〜（１３）を提供する。
（１）筒状芯体の外周にラップフィルムが巻回された巻回ラップフィルムと、前記巻回ラップフィルムを収納可能な刃なし収納箱と、を備え、前記刃なし収納箱は、少なくとも１枚の原紙が複数の折り線に沿って折り曲げられて外形略柱状に成形され、前記原紙は、坪量が１５０〜４８０ｇ／ｍ2の範囲にあり、前記刃なし収納箱の長手方向の側板間の内寸の最小値Ｗ（ｍｍ）が、前記筒状芯体の軸長さＳ（ｍｍ）に対し、Ｓ−１．０≦Ｗ≦Ｓの関係を満たし、
前記筒状芯体が、その軸方向において実質的に隙間なく前記刃なし収納箱に収納されている、詰替ラップフィルム収納体。
（２）前記原紙には、前記刃なし収納箱の長手方向の側板間の内寸の最小値Ｗ（ｍｍ）が前記筒状芯体の軸長さＳ（ｍｍ）以下となるように前記折り線が形成されている、
上記（１）に記載の詰替ラップフィルム収納体。
（３）前記巻回ラップフィルムは、前記刃なし収納箱の長手方向の側板の少なくとも一方が前記筒状芯体により湾曲した状態で、前記刃なし収納箱内に収納されている、
上記（１）又は（２）に記載の詰替ラップフィルム収納体。
（４）前記刃なし収納箱は、開口部を有する収納部を有し、前記収納部は、前板と後板と底板と一対の前記側板とを少なくとも有し、前記前板の高さが、前記後板の高さよりも低く形成されている、
上記（１）〜（３）のいずれか一項に記載の詰替ラップフィルム収納体。
（５）前記刃なし収納箱は、開口部を有する収納部を有し、前記収納部は、前板と後板と底板と一対の前記側板とを少なくとも有し、前記前板は、倒動可能に前記底板と連接されており、該前板の倒動により、前記開口部が拡張する、
上記（１）〜（４）のいずれか一項に記載の詰替ラップフィルム収納体。
（６）前記刃なし収納箱は、開口部を有する収納部を有し、前記収納部は、前板と後板と底板と一対の前記側板とを少なくとも有し、前記巻回ラップフィルムは前記側板間に挟持されており、前記前板の倒動により、前記巻回ラップフィルムが前記側板にガイドされて前記刃なし収納箱の外方へ変位する、
上記（１）〜（５）のいずれか一項に記載の詰替ラップフィルム収納体。
（７）前記刃なし収納箱は、開口部を有する収納部を有し、前記収納部は、前板と後板と底板と一対の前記側板とを少なくとも有し、前記前板は、前記側板と連接されており、前記前板と前記側板との連接の解放及び前記前板の倒動により、前記開口部が拡張する、
上記（１）〜（６）のいずれか一項に記載の詰替ラップフィルム収納体。
【００１６】
（８）筒状芯体の外周にラップフィルムが巻回された巻回ラップフィルムを収納可能な詰替ラップフィルム用の刃なし収納箱であって、少なくとも１枚の原紙が複数の折り線に沿って折り曲げられて外形略柱状に成形されたものであり、前記原紙は、坪量が１５０〜４８０ｇ／ｍ2の範囲にあり、前記刃なし収納箱の長手方向の側板間の内寸の最小値Ｗ（ｍｍ）が、収納される前記巻回ラップフィルムの前記筒状芯体の軸長さＳ（ｍｍ）に対し、Ｓ−１．０≦Ｗ≦Ｓの関係を満たす、
詰替ラップフィルム収納体用の刃なし収納箱。
（９）前記原紙には、前記刃なし収納箱の長手方向の側板間の内寸の最小値Ｗ（ｍｍ）が前記筒状芯体の軸長さＳ（ｍｍ）以下となるように前記折り線が形成されている、
上記（８）に記載の詰替ラップフィルム収納体用の刃なし収納箱。
（１０）前記刃なし収納箱は、開口部を有する収納部を有し、前記収納部は、前板と後板と底板と一対の前記側板とを少なくとも有し、前記前板の高さが、前記後板の高さよりも低く形成されている、
上記（８）又は（９）に記載の詰替ラップフィルム収納体用の刃なし収納箱。
（１１）前記刃なし収納箱は、開口部を有する収納部を有し、前記収納部は、前板と後板と底板と一対の前記側板とを少なくとも有し、前記前板は、倒動可能に前記底板と連接されており、該前板の倒動により、前記開口部が拡張する、
上記（８）〜（１０）のいずれか一項に記載の詰替ラップフィルム収納体用の刃なし収納箱。
（１２）前記刃なし収納箱は、開口部を有する収納部を有し、前記収納部は、前板と後板と底板と一対の前記側板とを少なくとも有し、前記前板は、前記側板と連接されており、前記前板と前記側板との連接の解放及び前記前板の倒動により、前記開口部が拡張する、
上記（８）〜（１１）のいずれか一項に記載の詰替ラップフィルム収納体用の刃なし収納箱。
（１３）前記刃なし収納箱は、開口部を有する収納部を有し、前記収納部は、前板と後板と底板と一対の前記側板とを少なくとも有し、前記側板間において、前記巻回ラップフィルムを挟持可能である、
上記（８）〜（１２）のいずれか一項に記載の詰替ラップフィルム収納体用の刃なし収納箱。
【発明の効果】
【００１７】
本発明によれば、省資源化やゴミ削減が図られるとともに、輸送時の振動等によるラップフィルムの傷の発生を抑制でき、これにより、詰替用の巻回ラップフィルムを、その商品価値を大きく損なわせることなく、市場に安定して供給することができる。しかも、梱包、段積み、輸送及び陳列等を現行の商品（非詰替品）と略同等に行うことができ、その上さらに、廃棄時における減容が容易であり、取り扱い性が格別に高められる。また、本発明の好ましい形態によれば、巻回ラップフィルムが取り出し易く、詰替時の作業性が格別に高められる。
【図面の簡単な説明】
【００１８】
【図１】第１実施形態の詰替ラップフィルム収納体を示す概略斜視図である。
【図２】第１実施形態の刃なし収納箱を示す概略斜視図である。
【図３】第１実施形態の刃なし収納箱の展開図（原紙３２）を示す概略平面図である。
【図４】第１実施形態の詰替ラップフィルム収納体（刃なし収納箱内に巻回ラップフィルムを収納した状態）の要部を示す概略断面図である。
【図５】第２実施形態の刃なし収納箱を示す概略斜視図である。
【図６】第２実施形態の刃なし収納箱の展開図（原紙６２）を示す概略平面図である。
【図７】第２実施形態の刃なし収納箱内に巻回ラップフィルムを収納した状態の要部を示す概略断面図である。
【発明を実施するための形態】
【００１９】
以下、本発明の実施の形態について図面を参照して説明する。なお、以下の実施の形態は、本発明を説明するための例示であり、本発明はその実施の形態のみに限定されるものではない。なお、同一の要素には同一の符号を付し、重複する説明を省略する。また、図面中、上下左右等の位置関係は、特に断らない限り、図面に示す位置関係に基づくものとする。さらに、図面の寸法比率は、図示の比率に限定されるものではない。
【００２０】
（第１実施形態）
図１は、第１実施形態の詰替ラップフィルム収納体１を示す概略斜視図である。
本実施形態の詰替ラップフィルム収納体１は、巻回ラップフィルム１１と、この巻回ラップフィルム１１を収納する刃なし収納箱３１とを備える。
【００２１】
巻回ラップフィルム１１は、紙製又はプラスチック製の筒状芯体１２の外周１２ａにラップフィルム１３を所定の数量分、巻きつけた（巻回した）ものである。筒状芯体１２の軸長さＳ（ｍｍ）は、後述するように、刃なし収納箱３１の長手方向の内寸の最小値Ｗ（ｍｍ）に対し、Ｓ−１．０≦Ｗ≦Ｓの関係を満たすように設定されている。そして、巻回ラップフィルム１１は、図示の如く、巻回ラップフィルム１１の軸方向が刃なし収納箱３１の長手方向に一致するように、刃なし収納箱３１内に収納されている。
【００２２】
図２は、本実施形態の刃なし収納箱３１を示す概略斜視図である。
刃なし収納箱３１は、詰替用の巻回ラップフィルム１１を梱包、輸送、陳列、販売、保管する際に使用する包装材であって、少なくとも１枚の原紙３２を複数の折り線３２ａに沿って折り曲げて外形略柱状に成形した折箱から構成されている。本実施形態の刃なし収納箱３１は、図示の如く、上面に開口部３３ａを有する収納部３３と、この開口部３３ａを塞ぐ蓋部３８とを有する構成となっている。
【００２３】
刃なし収納箱３１を構成する原紙３２としては、例えば、ボール紙、コートボール紙、片面段ボール、段ボール等が挙げられるが、これらに特に限定されず、当業界で公知の紙類を適宜選択して用いることができる。原紙３２は、これらの素材に、エンボス加工、印刷加工、ポリエチレン等を用いたラミネート加工等が施されたものであっても構わない。
【００２４】
ここで、原紙３２は、省資源化及びゴミ削減を図るとともに必要とされる強度（剛性）を担保する観点から、坪量（原紙の１ｍ2当りの重量）が１５０〜４８０ｇ／ｍ2の範囲内にあることが必要とされる。この範囲であれば、収納箱として要求される形状の保持、輸送時の衝撃や落下による商品の保護等を確実に行うことができ、また、店頭での陳列を容易に行うことができるとともに、廃棄時の減容（潰したり、たたんだりする等）を容易に行うことができる。一方、坪量が４８０ｇ／ｍ2を超えると、カット刃が付属した現行の商品（非詰替品）に用いられている原紙との差異が殆どなくなり、省資源化及びゴミ削減の効果が乏しくなり、また、廃棄時の減容が容易に行えなくなる等、取り扱い性の向上が期待できない。他方、坪量が１５０ｇ／ｍ2未満であると、必要とされる強度を保てず、形状の保持及び商品の保護を確実に行うことが困難になり、また、取り扱い性の向上効果が乏しくなる。これらの観点から、坪量は１８０〜４１０ｇ／ｍ2の範囲内にあることが好ましく、２１０〜３５０ｇ／ｍ2の範囲内にあることがより好ましい。
【００２５】
図３は、本実施形態の刃なし収納箱３１の展開図（原紙３２）を示す概略平面図である。
刃なし収納箱３１は、支持片３４ａとこれに折り線３２ａを介して連接された折り返し片３４ｂ及び一対の差込片３４ｃ，３４ｄとを有する前板３４、底板３５及びこれに折り線３２ａを介して連接された第１の側板３５ａ，３５ｂ、後板３６及びこれに折り線３２ａを介して連接された第２の側板３６ａ，３６ｂ、天板３９及びこれに折り線３２ａを介して連接された第３の側板３９ａ，３９ｂ、掩蓋片４０及びこれに折り線３２ａを介して連接された第４の側板４０ａ，４０ｂ、並びに、開封片４１、を有する原紙３２から構成されている。ここで、前板３４、底板３５、後板３６、天板３９及び掩蓋片４０は、図示の如く、折り線３２ａを介して、この順に連接されている。一方、開封片４１は、掩蓋片４０と切り取り線４１ａを介して連接されている。
【００２６】
ここで、本実施形態においては、後板３６の長手方向の長さ、すなわち後板３６の長手方向の折り線３２ａ間の距離は、刃なし収納箱３１の長手方向の内寸の最小値Ｗ（ｍｍ）となるように設定されている。すなわち、後板３６の長手方向の長さは、前板３４、底板３５、天板３９及び掩蓋片４０の長手方向の長さ（各々の長手方向の折り線３２ａ間の距離）よりも短く設定されている。また、前板３４、底板３５、天板３９、掩蓋片４０及び開封片４１の長手方向の長さ、すなわち各々の長手方向の折り線３２ａ間の距離は、収納される筒状芯体１２の軸長さＳ（ｍｍ）より大きく設定されている（図示参照）。
【００２７】
また、前板３４の高さ、詳述すると、前板３４を構成する支持片３４ａの高さｔ１及び折り返し片３４ｂの高さｔ２は、後板３６と天板３９の境界の折り線３２ａに対し、後板３６の高さｔ３よりも低く形成されている。これらの関係は、後板３６と天板３９の境界の折り線３２ａに対し、前板３４の高さが後板３６の高さよりも低く形成されている限り特に限定されないが、後板３６の高さｔ３を４５ｍｍに設定した場合、支持片３４ａ及び折り返し片３４ｂの高さｔ１，ｔ２が５ｍｍ以上低くなっていることが好ましく、より好ましくは１０〜４０ｍｍ以下の範囲であり、さらに好ましくは１７〜３７ｍｍ以下の範囲である。
【００２８】
上記の原紙３２を複数個所に形成された折り線３２ａに沿って折り曲げることにより、上述した収納部３３及び蓋部３８を有する、外形略直方体状の刃なし収納箱３１が成形される（図１及び図２参照）。
【００２９】
収納部３３は、前板３４と底板３５と後板３６と側板３５ａ，３５ｂ，３６ａ，３６ｂと支持片３４ａと折り返し片３４ｂと差込片３４ｃ，３４ｄとから成形される。すなわち、前板３４の折り返し片３４ｂを折り線３２ａに沿って１８０度折り倒して支持片３４ａと重ね合わせ、前板３４と底板３５と後板３６と側板３５ａ，３５ｂ，３６ａ，３６ｂを複数の折り線３２ａに沿って略垂直に折り曲げ、前板３４の差込片３４ｃ，３４ｄを側板３５ａ，３５ｂと側板３６ａ，３６ｂとの間隙に挿入することにより、上面開口した有底箱状の収納部３３が成形される（図示参照）。
【００３０】
蓋部３８は、天板３９と掩蓋片４０と開封片４１と側板３９ａ，３９ｂ，４０ａ，４０ｂとから成形される。すなわち、天板３９と掩蓋片４０と側板３９ａ，３９ｂ，４０ａ，４０ｂを複数の折り線３２ａに沿って略垂直に折り曲げることにより、収納部３３の開口部３３ａに相当する形状の蓋部３８が成形される（図示参照）。
【００３１】
図４は、本実施形態の詰替ラップフィルム収納体１（刃なし収納箱３１内に巻回ラップフィルム１１を収納した状態）の要部を示す概略断面図である。
本実施形態の詰替ラップフィルム収納体１は、刃なし収納箱３１の収納部３３内に巻回ラップフィルム１１を収納した後、後板３６と天板３９の間の折り線３２ａを基点に蓋部３８を倒して収納部３３の開口部３３ａを塞ぎ、開封片４１を前板３４の外壁に接着することにより、形成される。ここで、上述した通り、刃なし収納箱３１は、長手方向の内寸の最小値Ｗ（ｍｍ）、すなわち後板３６の長手方向の長さ（後板３６の長手方向の折り線３２ａ間の距離）が、収納部３３に収納される筒状芯体１２の軸長さＳ（ｍｍ）に対し、Ｓ−１．０≦Ｗ≦Ｓの関係を満たすように設定されている。そのため、収納部３３内に巻回ラップフィルム１１が収納されると、筒状芯体１２の軸長さＳ（ｍｍ）に適合すべく、側板３６ａ，３６ｂはその一部が湾曲する。そのため、巻回ラップフィルム１１は、側板３６ａ，３６ｂの少なくとも一部を外方へ向かって凸状に湾曲させた状態で収納部３３内に収納され、これにより、筒状芯体１２が軸方向において実質的に隙間なく刃なし収納箱３１内に収納される（図４参照）。すなわち、本実施形態においては、巻回ラップフィルム１１は、側板３６ａ，３６ｂ間（側板３５ａ，側板３６ａ及び差込片３４ｃと、側板３５ｂ，側板３６ｂ及び差込片３４ｄとの間）に緩やかに挟持された状態で刃なし収納箱３１内に収納されている（図４参照）。
【００３２】
そして、本実施形態の詰替ラップフィルム収納体１の開封は、通常、蓋部３８の開封片４１の切り取り線４１ａに沿って切れ目を入れ、支持片３４ａ上の開封片４１を取り除き、この状態で掩蓋片４０を前板３４の外壁から離間させ、後板３６と天板３９の間の折り線３２ａを基点に蓋部３８を後板３６側に倒すことにより行われる。その後、このようにして開封された詰替ラップフィルム収納体１の収納部３３の開口部３３ａから、巻回ラップフィルム１１が取り出される。
【００３３】
さて、本実施形態の詰替ラップフィルム収納体１においては、上述した通り、刃なし収納箱３１の長手方向の内寸の最小値Ｗ（ｍｍ）が筒状芯体１２の軸長さＳ（ｍｍ）に対しＳ−１．０≦Ｗ≦Ｓの関係を満たすように設定され、筒状芯体１２がその軸方向において実質的に隙間なく刃なし収納箱３１内に収納されている。そのため、刃なし収納箱３１内における巻回ラップフィルム１１の動き、特に、軸方向への動きが規制され、その結果、刃なし収納箱３１と（巻回ラップフィルム１１の最外周の）ラップフィルム１３との擦れが防止され、これにともなうラップフィルム１３の擦り傷、捲れ、切り傷、裂け等の外傷の発生が抑制される。したがって、詰替ラップフィルム収納体１によれば、詰替用の巻回ラップフィルム１１を、その商品価値を大きく損なわせることなく、市場に安定して供給することができる。なお、カット刃が付属した現行の商品（非詰替品）においては、巻回ラップフィルムからのラップフィルムの引き出しを容易にするために＋２ｍｍ程度のクリアランスが設定されている事実（収納箱の長手方向の内寸の最小値が筒状芯体の軸長さに対して＋２ｍｍ程度となっている。）から鑑みると、かかる本実施形態の設計思想は、異質なものであると言える。
【００３４】
また、本実施形態の詰替ラップフィルム収納体１においては、刃なし収納箱３１の形状安定性（形状保持性）が高められている。これは、筒状芯体１２がその軸方向において実質的に隙間なく刃なし収納箱３１内に収納され、詰替ラップフィルム収納体１の側壁（側板３５ａ，３５ｂ，３６ａ，３６ｂ、側板３９ａ，３９ｂ，４０ａ，４０ｂ）が硬く強度のある筒状芯体１２に支持されているためである。したがって、本実施形態の詰替ラップフィルム収納体１は、従来に比して薄く低強度な原紙３２を用いているにも関わらず、梱包、段積み、輸送及び陳列等において、安定した取り扱いが可能となる。
【００３５】
さらに、本実施形態の詰替ラップフィルム収納体１においては、筒状芯体１２がその軸方向において実質的に隙間なく刃なし収納箱３１内に収納されているため、上述した段積み時に加わる荷重を硬く強度のある筒状芯体１２によって受け止めることができる。そのため、刃なし収納箱３１の潰れや変形及びこれにともなうラップフィルム１３の破損及び傷の発生並びにこれらにともなうラップフィルム１３の引き出し不良の発生が効果的に抑制される。したがって、本実施形態の詰替ラップフィルム収納体１は、梱包、段積み、輸送及び陳列等を現行の商品（非詰替品）と略同等に行うことができる。
【００３６】
しかも、本実施形態の詰替ラップフィルム収納体１においては、坪量（原紙の１ｍ2当りの重量）が１５０〜４８０ｇ／ｍ2の範囲内にある原紙３２から刃なし収納箱３１が構成されているので、省資源化及びゴミ削減が図られるとともに、廃棄時の減容を容易に行うことができる。
【００３７】
一方、本実施形態の詰替ラップフィルム収納体１においては、前板３４を構成する支持片３４ａ及び折り返し片３４ｂの高さｔ１，ｔ２が後板３６の高さｔ３よりも低く形成されているため、詰替ラップフィルム収納体１の開封時に、人間工学的に立体的で広い開口部３３ａが露出する。そのため、開封後の巻回ラップフィルム１１の視認性が高められるとともに、巻回ラップフィルム１１の取り出しが極めて容易になる。すなわち、前板３４の高さが後板３６の高さよりも低い構成を採用することにより、刃なし収納箱３１内の巻回ラップフィルム１１を容易に取り出すことができ、その結果、使い勝手が飛躍的に向上する。このように、前板３４の高さが後板３６の高さよりも低い構成は、立体的で広い開口部３３ａを実現する上で重要であり、また、人間工学的に、自然な動作で巻回ラップフィルム１１を取り出すのに最適な設計であると考えられる。
【００３８】
しかも、本実施形態の詰替ラップフィルム収納体１においては、巻回ラップフィルム１１の取り出し時において、折り線３２を基点に前板３４を外方へ倒す、すなわち倒動させることにより、開口部３３ａを拡張させることができる。また、坪量（原紙の１ｍ2当りの重量）が１５０〜４８０ｇ／ｍ2の範囲内にある原紙３２を用いているので、巻回ラップフィルム１１を取り出す際に、原紙３２を容易に撓ませて開口部３３ａを変形させることもできる。このように開口部３３ａを拡張及び／又は変形させることにより、巻回ラップフィルム１１を掴むために刃なし収納箱３１内に指を入れるスペースができ、また、より自然な動作で巻回ラップフィルム１１を取り出すことができる。したがって、人間工学的に、刃なし収納箱３１内の巻回ラップフィルム１１の取り出しがさらに容易なものとなる。さらに、取り出し時における（巻回ラップフィルム１１の最外周の）ラップフィルム１３と刃なし収納箱３１との接触を抑制することも可能なので、これにともなうラップフィルム１３の擦り傷、捲れ、切り傷、裂け等の外傷の発生の予防も期待される。
【００３９】
（第２実施形態）
図５は、第２実施形態の刃なし収納箱６１を示す概略斜視図である。
刃なし収納箱６１は、上述した第１実施形態の刃なし収納箱３１と同様に、詰替用の巻回ラップフィルム１１を梱包、輸送、陳列、販売、保管する際に使用する包装材であって、少なくとも１枚の原紙６２を複数の折り線６２ａに沿って折り曲げて外形略柱状に成形した折箱から構成されている。本実施形態の刃なし収納箱６１は、図示の如く、上面に開口部６３ａを有する収納部６３と、この開口部６３ａを塞ぐ蓋部６８とを有する構成となっている。なお、刃なし収納箱６１を構成する原紙６２の素材及び坪量は、上述した第１実施形態の原紙３２と同一であり、重複する記載を省略する。
【００４０】
図６は、本実施形態の刃なし収納箱６１の展開図（原紙６２）を示す概略平面図である。
刃なし収納箱６１は、支持片６４ａとこれに折り線６２ａを介して連接された折り返し片６４ｂ及び一対の差込片６４ｃ，６４ｄとを有する前板６４、底板６５及びこれに折り線６２ａを介して連接された第１の側板６５ａ，６５ｂ、後板６６及びこれに折り線６２ａを介して連接された第２の側板６６ａ，６６ｂ、天板６９及びこれに折り線６２ａを介して連接された第３の側板６９ａ，６９ｂ、掩蓋片７０及びこれに折り線６２ａを介して連接された第４の側板７０ａ，７０ｂ、並びに、開封片７１、を有する原紙６２から構成されている。ここで、前板６４、底板６５、後板６６、天板６９及び掩蓋片７０は、図示の如く、折り線６２ａを介して、この順に連接されている。一方、開封片７１は、掩蓋片７０と切り取り線７１ａを介して連接されている。
【００４１】
ここで、本実施形態においては、前板の支持片６４ａの長手方向の長さ、すなわち前板の支持片６４ａの長手方向の折り線６２ａ間の距離は、刃なし収納箱６１の長手方向の内寸の最小値Ｗ（ｍｍ）となるように設定されている。すなわち、前板の支持片６４ａの長手方向の長さは、底板６５、後板６６、天板６９及び掩蓋片７０の長手方向の長さ（各々の長手方向の折り線６２ａ間の距離）よりも短く設定されている。そのため、底板６５、天板６９、後板６６、掩蓋片７０及び開封片７１の長手方向の長さ、すなわち各々の長手方向の折り線６２ａ間の距離は、収納される筒状芯体１２の軸長さＳ（ｍｍ）と同一かそれより大きく設定されている（図示参照）。
【００４２】
また、前板６４の高さ、詳述すると、前板６４を構成する支持片６４ａの高さｔ４及び折り返し片６４ｂの高さｔ５は、後板６６と天板６９の境界の折り線６２ａに対し、後板６６の高さｔ６よりも低く形成されている。これらの関係は、上述した第１実施形態のものと同様であり、重複する記載を省略する。
【００４３】
上記の原紙６２を複数個所に形成された折り線６２ａに沿って折り曲げることにより、上述した収納部６３及び蓋部６８を有する、外形略直方体状の刃なし収納箱６１が成形される（図５参照）。
【００４４】
収納部６３は、前板６４と底板６５と後板６６と側板６５ａ，６５ｂ，６６ａ，６６ｂと支持片６４ａと折り返し片６４ｂと差込片６４ｃ，６４ｄとから成形される。すなわち、前板６４の折り返し片６４ｂを折り線６２ａに沿って１８０度折り倒して支持片６４ａと重ね合わせ、前板６４と底板６５と後板６６と側板６５ａ，６５ｂ，６６ａ，６６ｂを複数の折り線６２ａに沿って略垂直に折り曲げることにより、上面開口した有底箱状の収納部６３が成形される（図示参照）。なお、本実施形態では、前板６４の差込片６４ｃ，６４ｄは、側板６５ａ，６５ｂの内側に挿入されている。
【００４５】
蓋部６８は、天板６９と掩蓋片７０と開封片７１と側板６９ａ，６９ｂ，７０ａ，７０ｂとから成形される。すなわち、天板６９と掩蓋片７０と側板６９ａ，６９ｂ，７０ａ，７０ｂを複数の折り線６２ａに沿って略垂直に折り曲げることにより、収納部６３の開口部６３ａに相当する形状の蓋部６８が成形される。
【００４６】
図７は、本実施形態の刃なし収納箱内６１に巻回ラップフィルム１１を収納した状態の要部を示す概略断面図である。
本実施形態において、巻回ラップフィルム１１は、前板６４の差込片６４ｃ，６４ｄ間に保持された状態で、刃なし収納箱６１の収納部６３内に収納される（図示参照）。すなわち、差込片６４ｃ，６４ｄは、側板６５ａ，６５ｂの内側に位置するよう挿入される。そして、後板６６と天板６９の間の折り線６２ａを基点に蓋部６８を倒して収納部６３の開口部６３ａを塞ぎ、開封片７１を前板６４の外壁に接着する。ここで、上述した通り、刃なし収納箱６１は、長手方向の内寸の最小値Ｗ（ｍｍ）、すなわち前板の支持片６４ａの長手方向の長さ（前板の支持片６４ａの長手方向の折り線６２ａ間の距離）が、収納部６３に収納される筒状芯体１２の軸長さＳ（ｍｍ）に対し、Ｓ−１．０≦Ｗ≦Ｓの関係を満たすように設定されている。そのため、収納部６３内に巻回ラップフィルム１１が収納されると、筒状芯体１２の軸長さＳ（ｍｍ）に適合すべく、側板６４ｃ，６４ｄはその一部が湾曲する。そのため、巻回ラップフィルム１１は、側板６４ｃ，６４ｄの少なくとも一部を外方へ向かって凸状に湾曲させた状態で収納部６３内に収納され、これにより、筒状芯体１２が軸方向において実質的に隙間なく刃なし収納箱６１ｂ内に収納される（図７参照）。すなわち、本実施形態においては、巻回ラップフィルム１１は、差込片６４ｃ，６４ｄ間（差込片６４ｃ、側板６５ａ及び６６ａと差込片６４ｄ、側板６５ｂ及び側板６６ｂとの間）に緩やかに挟持された状態で刃なし収納箱６１ｂ内に収納されている（図７参照）。
【００４７】
そして、本実施形態の刃なし収納箱６１の開封は、通常、蓋部６８の開封片７１の切り取り線７１ａに沿って切れ目を入れ、折り返し片６４ａ上の開封片７１を取り除き、この状態で掩蓋片７０を前板６４の外壁から離間させ、後板６６と天板６９の間の折り線６２ａを基点に蓋部６８を後板６６側へ倒すことにより行われる。そして、このようにして開封された刃なし収納箱６１の収納部６３の開口部６３ａから、巻回ラップフィルム１１が取り出される。
【００４８】
さて、本実施形態においては、上述した通り、刃なし収納箱６１の長手方向の内寸の最小値Ｗ（ｍｍ）が筒状芯体１２の軸長さＳ（ｍｍ）に対しＳ−１．０≦Ｗ≦Ｓの関係を満たすように設定され、筒状芯体１２がその軸方向において実質的に隙間なく刃なし収納箱６１内に収納されている。また、坪量（原紙の１ｍ2当りの重量）が１５０〜４８０ｇ／ｍ2の範囲内にある原紙６２から刃なし収納箱６１が構成されている。さらに、前板６４を構成する支持片６４ａ及び折り返し片６４ｂの高さｔ４，ｔ５が後板６６の高さｔ６よりも低く形成されており、また、前板６４を折り線６２に沿って外方へ倒す、すなわち倒動させることにより、開口部６３ａを拡張させることができる。したがって、上述した第１実施形態と同一の作用効果が奏される。
【００４９】
その上さらに、本実施形態の刃なし収納箱６１においては、前板６４に差込片６４ｃ，６４ｄが連接されており、折り線６２ａを基点に前板６４を外方へ倒す動作にともなって、差込片６４ｃ，６４ｄが刃なし収納箱６１の外方に変位する。そのため、この前板６４の倒動及び差込片６４ｃ，６４ｄの変位にともなって、差込片６４ｃ，６４ｄ間に挟持された巻回ラップフィルム１１は、謂わば差込片６４ｃ，６４ｄにガイドされながら、刃なし収納箱６１の外方に移動する。刃なし収納箱６１がこのような刃なし収納箱６１の外方に巻回ラップフィルム１１を移動させる機構を有することにより、巻回ラップフィルム１１の取り出し時に、巻回ラップフィルム１１を掴むための広いスペースを確保でき、より自然でスムーズな動作で巻回ラップフィルム１１を掴み、これを取り出すことができる。したがって、人間工学的に、刃なし収納箱６１内の巻回ラップフィルム１１の取り出しが格別容易なものとなり、使い勝手が格別に向上する。
【００５０】
なお、上記の実施形態は、本発明を説明するための例示であり、本発明はその実施の形態のみに限定されるものではなく、本発明は、その要旨を逸脱しない限り、さまざまな変更実施が可能である。
【００５１】
例えば、上記の実施形態では収納部３３，６３及び蓋部３８，６８を有する刃なし収納箱３１，６１を例示したが、刃なし収納箱３１，６１は、例えば、収納部３３，６３のみからなる形態、或いは、収納部３３，６３と蓋部３８，６８が個々に分離する形態であってもよい。
【００５２】
また、側板３５ａ，３５ｂと側板３６ａ，３６ｂとの間、或いは、側板６５ａ，６５ｂと側板６６ａ，６６ｂとの間の一部又は全部が、接着剤等を用いて接着されていてもよい。また、かかる接着は、容易に解離可能な状態であってもよく、解離不能な状態であってもよい。
【００５３】
さらに、上記の実施形態では、前板３４，６４の外壁に接着された開封片４１，７１を、切り取り線４１ａ，７１ａに沿って切れ目を入れ、支持片３４ａ又は折り返し片６４ｂ上の開封片４１，７１を取り除き、その状態で掩蓋片４０，７０を前板３４，６４の外壁から離間させる開封形態を例示したが、他の公知の手法を採用してもよい。すなわち、上記の実施形態の如く巻回ラップフィルム１１の軸方向にジッパーを開封する形態ではなく、例えば、巻回ラップフィルム１１の周方向にジッパーを開封する形態であってもよい。また、例えば、前板３４と掩蓋片４０が雄雌のはめ込み式に形成され、そのはめ込みを解放することにより開封する形態であってよい。或いは、例えば、前板６４と掩蓋片７０が接着剤やテープ等で係止され、その係止を解放することにより開封する形態であってよい。上記において、前板３４，６４と掩蓋片４０，７０とがオーバーラップして重なり合うような形態であってもよい。
【００５４】
また、上記の実施形態では、前板３４，６４が折り線３２ａ，６２ａを基点に外方へ倒動自在に形成された形態を例示したが、例えば、差込片３４ｃ，３４ｄ，６４ｃ，６４ｄが側板３５ａ，３５ｂ，３６ａ，３６ｂ，６５ａ，６５ｂ，６６ａ，６６ｂ等と接着された構成にしてもよい。このように構成すると、前板３４，６４の倒動が規制されるので、刃なし収納箱３１，６１、特に収納部３３，６３の形状安定性（形状保持性）が高められる。なお、このように前板３４，６４の倒動が規制された構成を採用した場合であっても、差込片３４ｃ，３４ｄ，６４ｃ，６４ｄと側板３５ａ，３５ｂ，３６ａ，３６ｂ，６５ａ，６５ｂ，６６ａ，６６ｂとの接着を解放することにより、刃なし収納箱３１，６１の開封時に折り線３２ａ，６４ａを基点に前板３４，６４を外方へ倒動可能となる。或いは、前板３４，６４が差込片３４ｃ，３４ｄ，６４ｃ，６４ｄとミシン目等を介して連接した構成を採用すれば、そのミシン目を破るだけの操作で、前板３４，６４が折り線３２ａ，６２ａを基点に外方へ倒動自在となる。
【産業上の利用可能性】
【００５５】
本発明の詰替ラップフィルム収納体及び刃なし収納箱は、省資源化、ゴミ削減、廃棄時に減容容易といった環境問題に対応した詰替ラップフィルムを市場に安定して提供することができ、しかも、現行の商品（非詰替品）と略同等の取り扱いが可能なので、食品用或いは日用品用のラップフィルム一般において、広く且つ有効に利用可能である。
【符号の説明】
【００５６】
１…詰替ラップフィルム収納体、１１…巻回ラップフィルム、１２…筒状芯体、１２ａ…外周、１３…ラップフィルム、３１…刃なし収納箱、３２…原紙、３２ａ…折り線、３３ａ…開口部、３３…収納部、３４…前板、３４ａ…支持片、３４ｂ…折り返し片、３４ｃ，３４ｄ…差込片、３５…底板、３５ａ，３５ｂ…側板、３６…後板、３６ａ，３６ｂ…側板、３８…蓋部、３９…天板、３９ａ，３９ｂ…側板、４０…掩蓋片、４０ａ，４０ｂ…側板、４１…開封片、４１ａ…切り取り線、６１…刃なし収納箱、６２…原紙、６２ａ…折り線、６３ａ…開口部、６３…収納部、６４…前板、６４ａ…支持片、６４ｂ…折り返し片、６４ｃ，６４ｄ…差込片、６５…底板、６５ａ，６５ｂ…側板、６６…後板、６６ａ，６６ｂ…側板、６８…蓋部、６９…天板、６９ａ，６９ｂ…側板、７０…掩蓋片、７０ａ，７０ｂ…側板、７１…開封片、７１ａ…切り取り線、Ｓ…軸長さ、Ｗ…刃なし収納箱の長手方向の内寸の最小値、ｔ１，ｔ２，ｔ３、ｔ４，ｔ５，ｔ６…高さ。
【図１】
0005547502.tif 000002
【図２】
0005547502.tif 000003
【図３】
0005547502.tif 000004
【図４】
0005547502.tif 000005
【図５】
0005547502.tif 000006
【図６】
0005547502.tif 000007
【図７】
0005547502.tif 000008